(57)【要約】【課題】情報検索を容易にする情報検索装置等を提供する。【解決手段】情報検索装置１は、複数の第１データ４に対しタグを作成し、前記タグと第１データ４とを、第１データ４間における第１関連情報５を表現する所定のフォーマットに従い関連付けし、その結果を第２関連情報とする関連部２と、第１関連情報５において特定の第１データ４と関連付けされた第２データを検索し、前記第２関連情報において前記第２データと関連付けされた特定タグを検索する検索部３とを備える。【選択図】  図１
2014049002.tif 000002
【特許請求の範囲】
【請求項１】
複数の第１データに対しタグを作成し、前記タグと前記第１データとを、前記第１データ間における第１関連情報を表現する所定のフォーマットに従い関連付けし、その結果を第２関連情報とする関連部と、
前記第１関連情報において特定の前記第１データと関連付けされた第２データを検索し、前記第２関連情報において前記第２データと関連付けされた特定タグを検索する検索部とを備える情報検索装置。
【請求項２】
記憶部を更に備え、
前記関連部は、前記第１関連情報と前記第２関連情報とを前記記憶部に記憶させ、
前記検索部は、前記記憶部を参照することにより前記特定タグを読み取る
請求項１に記載の情報検索装置。
【請求項３】
前記検索部における検索結果を所定の表示態様により表示する表示部を更に備える
請求項１あるいは請求項２に記載の情報検索装置。
【請求項４】
前記特定タグのうち、前記検索結果の一部を指定させることにより選ばれた第２特定タグを読み取る読み取り部を更に備える
請求項３に記載の情報検索装置。
【請求項５】
前記第２関連情報において、前記第２特定タグと関連付けされた特定の前記第２データを読み、さらに、前記第２関連情報において、該特定の第２データと関連付けされた第３特定タグを読み取る第２検索部を更に備え、
前記表示部は、さらに前記第３特定タグを前記所定の表示態様により表示する
請求項４に記載の情報検索装置。
【請求項６】
前記第２検索部、前記表示部、及び、前記読み取り部は複数回処理を繰り返す
請求項５に記載の情報検索装置。
【請求項７】
複数の第１データに対しタグを作成し、前記タグと前記第１データとを、前記第１データ間における第１関連情報を表現する所定のフォーマットに従い関連付けし、その結果を第２関連情報とするとともに、前記第１関連情報において特定の前記第１データと関連付けされた第２データを検索し、前記第２関連情報において前記第２データと関連付けされた特定タグを検索する情報検索方法。
【請求項８】
複数の第１データに対しタグを作成し、前記タグと前記第１データとを、前記第１データ間における第１関連情報を表現する所定のフォーマットに従い関連付けし、その結果を第２関連情報とする関連機能と、
前記第１関連情報において特定の前記第１データと関連付けされた第２データを検索し、前記第２関連情報において前記第２データと関連付けされた特定タグを検索する検索機能とを
コンピュータに実現させる情報検索プログラム。
【請求項９】
記憶部を備える情報処理装置にて、
前記関連機能において、前記第１関連情報と前記第２関連情報とを前記記憶部に記憶させる機能と、
前記検索機能において、前記記憶部を参照することにより前記特定タグを読み取る
機能とを、
さらに、コンピュータに実現させる請求項８に記載の情報検索プログラム。
【請求項１０】
前記検索機能における検索結果を所定の表示態様により表示する表示機能を
更にコンピュータに実現させる請求項８あるいは請求項９に記載の情報検索プログラム。
【発明の詳細な説明】
【技術分野】
【０００１】
本発明は、情報を検索する情報処理装置等に関する。
【背景技術】
【０００２】
タグは、人物データ、文書データ、メールデータ、画像データ、音声データ等（以降、これらを総称して「対象データ」と表現する）に関するデータ情報を特徴付ける標識（「キーワード」、「検索キー」等とも表現する）である。利用者は、対象データを検索する手がかりとしてタグを利用する。例えば、利用者は、ある画像データと、その画像データに関連する「子供」、「花」、「風景」等を表すタグとを関連付ける。利用者は、「花」というキーワードを手がかりとして、当該画像データを探索する。
【０００３】
以下に示す特許文献１乃至特許文献３は、対象データを検索するためのデータベースを作成する方法と、そのデータベースを検索する方法とに関する技術を開示する。
【０００４】
特許文献１が開示する関連情報検索装置は、グループウェアが出力するログ情報から関連情報を抽出し、抽出した関連情報が有する関係性を記憶する関係データベースを有する。該関連情報検索装置は、検索キーに関連する情報を検索し、検出した結果に基づいてリンクリストを作成する。その後、該関連情報検索装置は、作成したリンクリストを利用者に表示する。
【０００５】
特許文献２が開示するファイル検索方式は、第１キーワードと関連付けされたファイルを検索し、検出されたファイルから第２キーワードを抽出し、抽出した第２キーワードから第１キーワードを除いた結果を表示するファイル検索方式である。
【０００６】
特許文献３が開示するデータベース作成方法は、マルチメディア情報を要素として含む構造化文書の中から、自動的に画像や音声に関連するキーワードを抽出し、抽出したキーワードを基に、画像や音声に関するデータベースを作成する。
【先行技術文献】
【特許文献】
【０００７】
【特許文献１】特開２０１０−２２４９４１号公報
【特許文献２】特開昭６４−００１０３０号公報
【特許文献３】特開平１１−２９６５２５号公報
【発明の概要】
【発明が解決しようとする課題】
【０００８】
対象データは、タグの種類を増加させることにより、より的確に特徴付けることができる。しかしながら、タグの種類が増大することにより、利用者が適切にタグを選択することは難しくなる。システムがタグを全て表示し、その中から利用者が適切なタグを選択する方法は、その困難さを軽減する手法の１つである。しかしながら、その方法は、利用者が適切にタグを選択する困難さを全て解決するとは限らない。
【０００９】
そこで、本発明の主たる目的は、情報検索を容易にする情報検索装置等を提供することである。
【課題を解決するための手段】
【００１０】
前述の目的を達成するために、本発明に係る情報検索装置は、以下の構成を備えることを特徴とする。
【００１１】
即ち、本発明に係る情報検索装置は、
複数の第１データに対しタグを作成し、前記タグと前記第１データとを、前記第１データ間における第１関連情報を表現する所定のフォーマットに従い関連付けし、その結果を第２関連情報とする関連部と、
前記第１関連情報において特定の前記第１データと関連付けされた第２データを検索し、前記第２関連情報において前記第２データと関連付けされた特定タグを検索する検索部とを備えることを特徴とする。
【００１２】
また、本発明の他の見地として、本発明に係る情報検索方法は、
複数の第１データに対しタグを作成し、前記タグと前記第１データとを、前記第１データ間における第１関連情報を表現する所定のフォーマットに従い関連付けし、その結果を第２関連情報とするとともに、前記第１関連情報において特定の前記第１データと関連付けされた第２データを検索し、前記第２関連情報において前記第２データと関連付けされた特定タグを検索することを特徴とする。
【発明の効果】
【００１３】
本発明に係る情報検索装置等によれば、情報検索が容易になる。
【発明を実施するための形態】
【００１４】
次に、発明を実施するための最良の形態について図面を参照して詳細に説明する。
【００１５】
＜第１の実施形態＞
本発明の第１の実施形態に係る情報検索装置１が有する構成と、情報検索装置１が行う処理とについて、図１と図２とを参照しながら詳細に説明する。図１は、本発明の第１の実施形態に係る情報検索装置１の構成を示すブロック図である。図２は、本発明の第１の実施形態に係る情報検索装置１における処理の流れを示すフローチャートである。
【００１６】
図１を参照すると、本発明の第１の実施形態に係る情報検索装置１は、関連部２と、検索部３とを有する。情報検索装置１は、背景技術にて説明したような対象データを、第１データ４として受け取る。関連部２は、第１データ４に対するタグを作成する（ステップＳ１）。
【００１７】
タグを作成する方法には、人手により作成する方法や、対象データの属性や特徴等から作成する方法がある。例えば、作成する方法には、対象となる文書のタイトルを形態素解析することにより、分割された単語をタグとする方法や、あるキーワードを手がかりとして全文検索を行い、検出された文書のタグとして、当該キーワードを出力する方法がある。タグを作成する方法は、既に様々な方法が開示されているため、ここでは、タグを作成する個々の方法に関する説明は省略する。また、関連部２がタグを作成する方法は、上述した方法には限定されない。
【００１８】
タグは、例えば、ハイパーテキストマークアップ言語（ＨｙｐｅｒＴｅｘｔ  Ｍａｒｋｕｐ  Ｌａｎｇｕａｇｅ、以降、「ＨＴＭＬ」と表す）、あるいは、エクステンシブルマークアップ言語（Ｅｘｔｅｎｓｉｂｌｅ  Ｍａｒｋｕｐ  Ｌａｎｇｕａｇｅ、以降、「ＸＭＬ」と表す）等に従い、表現される。本発明の第１の実施形態に係る情報検索装置１において、タグを表現する方法は、上述した方法には限定されない。
【００１９】
次に、関連部２は、第１データ４間における第１関連情報５を表現する所定のフォーマットに従い、第１データ４に対して作成したタグと、第１データ４とを関連付けし、その結果を第２関連情報とする（ステップＳ２）。所定のフォーマットには、以下のようにテーブル形式にて表現する方法や、リンク形式にて表現する方法などが存在する。
【００２０】
第１データ４間の第１関連情報５をテーブル形式にて表現する一例を図３に示す。図３は、本発明の第１の実施形態に係る情報検索装置１において第１データ４間の第１関連情報５を表すテーブルの一例である。図３を参照すると、そのテーブルの１行目は、「種類」と「説明」とを関連付けることを表す。該テーブルの２行目は、「種類」が「人物」であり、「説明」が「人名、プロフィール、タイトル、電話番号」であることを表す。即ち、該テーブルの２行目は、「人物」と「人名」、「人物」と「プロフィール」、「人物」と「タイトル」、「人物」と「電話番号」という４種類の組み合わせを、それぞれ関連付けることを表す。
【００２１】
同様に、第１データ４間の第１関連情報５をリンク形式にて表現する一例を図４に示す。図４は、本発明の第１の実施形態に係る情報検索装置１において第１データ４間の第１関連情報５を表す概念図の一例である。図４を参照すると、「ＢＤ仕様書」と「三浦」を結ぶ（以降、「リンクする」とも表現する）線は、「ＢＤ仕様書」と「三浦」とを関連付けることを現す。即ち、「ＢＤ仕様書」は、「三浦」と関連付けされている。同様に、「ＦＤ仕様書」は、「三浦」、「赤石沢」、「福田」と、それぞれと関連付けされている。
【００２２】
所定のフォーマットは、データ間の関連情報を表現すればよく、上述したようなフォーマットには限定されない。
【００２３】
上述したように、ステップＳ２にて、第１データ４間の第１関連情報５を表現する所定のフォーマットと、第１データ４に対して作成したタグと第１データ４との関連情報を表現する所定のフォーマットとは、同じである。例えば、関連部２がリンク形式にて関連付けしたデータの一例を図５と図６とに表す。図５は、本発明の第１の実施形態に係る情報検索装置１において第１データ４とタグとの関連情報を表す概念図の一例である。図６は、本発明の第１の実施形態に係る情報検索装置１において第１データ４とタグとの関連情報を表す概念図の一例である。
【００２４】
図５と図６とにおいて、点線の四角はタグを表し、実線の四角は第１データ４を表す。図５を参照すると、第１データ４の一例である「ＢＤ仕様書」は、タグの一例である「文書」、「ＢＤ」、「仕様書」、「ＢＤ仕様書」と、それぞれ関連付けされている。同様に、図６を参照すると、第１データ４の一例である「鈴木」は、タグの一例である「人物」、「営業」、「鈴木」と関連付けされている。
【００２５】
次に、検索部３は、第１データ４間の関連情報を表す第１関連情報５において、特定の第１データ４と関連付けされた第２データを検索する（ステップＳ３）。上述した例において、検索部３は、「赤石沢」と関連付けされた「ＦＤ仕様書」と、「導入説明書」と、「仕様書Ｂ」とを第２データとして検出する（図４）。
【００２６】
次に、検索部３は、第２関連情報において第２データと関連付けされたタグを検索する（ステップＳ４）。図７Ａ乃至図７Ｄを参照しながら、上述した例における、検索部３が行う処理について説明する。図７Ａ乃至図７Ｄは、本発明の第１の実施形態に係る情報検索装置１において検索部３が抽出した第１データ４とタグとの関連情報を表す概念図の一例である。検索部３は、第１データである「赤石沢」に対して、図６に示すような第２関連情報を検索することにより、「人物」、「赤石沢」、「開発」「システム部」という４つのタグを検索する（図７Ａ）。
【００２７】
同様に、検索部３は、第２データである「ＦＤ仕様書」に対して、図５に示すような第２関連情報を検索することにより、「文書」、「仕様書」、「ＦＤ」、「ＦＤ仕様書」というタグを検索する（図７Ｂ）。さらに、検索部３は、第２データである「導入説明書」に対して、図５に示すような第２関連情報を検索することにより、「文書」、「説明書」、「導入」というタグを検索する（図７Ｃ）。さらに、検索部３は、第２データである「仕様書Ｂ」に対して、図５に示すような第２関連情報を検索することにより、「文書」、「仕様書」というタグを検索する（図７Ｄ）。
【００２８】
検索部３は、図８に示すように、検出したタグをまとめる。図８は、本発明の第１の実施形態に係る情報検索装置１において検索部３が抽出したタグを表す概念図の一例である。図８を参照すると、検索部３は、上述した例において、「赤石沢」に対し、「文書」、「仕様書」、「ＦＤ」、「ＦＤ仕様書」、「説明書」、「導入」というタグを検出する。
【００２９】
特許文献１乃至特許文献３が開示する装置は、上述した例において、図５のようなタグを全て表示する。一方、利用者が入力する第１データ４に対し、情報検索装置１は、図８に示すタグを検出する。関連部２が、第１データ４間における第１関連情報５を表現する所定のフォーマットに従い、第１データ４とタグとを関連付けるために、検索部３は、タグを検索することが可能になる。
【００３０】
即ち、本発明における第１の実施形態に係る情報検索装置によれば、情報検索が容易になる。
【００３１】
＜第２の実施形態＞
次に、上述した第１の実施形態を基本とする第２の実施形態について説明する。
【００３２】
以下の説明においては、本実施形態に係る特徴的な部分を中心に説明すると共に、上述した第１の実施形態と同様な構成については、同一の参照番号を付すことにより、重複する説明を省略する。
【００３３】
図９と図１０とを参照しながら、本発明の第２の実施形態に係る情報検索装置６が有する構成と、情報検索装置６が行う処理とについて説明する。図９は、発明の第２の実施形態に係る情報検索装置６の構成を示すブロック図である。図１０は、本発明の第２の実施形態に係る情報検索装置６における処理の流れを示すフローチャートである。
【００３４】
図９を参照すると、情報検索装置６は、関連部７と、検索部８と、記憶部９とを有する。関連部７は、第１データ４に対するタグを作成する（ステップＳ１）。次に、関連部７は、作成したタグと第１データ４とを所定のフォーマットに従い関連付けし、その結果、即ち、第２関連情報を記憶部９に記憶させる（ステップＳ５）。次に、関連部７は、第１関連情報５を記憶部９に記憶させる（ステップＳ６）。ステップＳ６の処理は、ステップＳ５の直前であっても、ステップＳ１の直前であっても良い。
【００３５】
次に、検索部８は、記憶部９における第１関連情報５から、第１データと関連付けされた第２データを読み取る（ステップＳ７）。次に、検索部８は、記憶部９における第２関連情報から、第２データと関連付けされたタグを読み取る（ステップＳ８）。
【００３６】
検索部８は、記憶部９からデータ等を読み取るため、関連部７がデータを作成する処理を低減することができる。また、第２の実施形態に係る情報検索装置６は、第１の実施形態に係る情報検索装置が有する機能を、同様に有する。
【００３７】
即ち、本発明における第２の実施形態に係る情報検索装置によれば、情報検索が容易になる。
【００３８】
＜第３の実施形態＞
次に、上述した第２の実施形態を基本とする第３の実施形態について説明する。
【００３９】
以下の説明においては、本実施形態に係る特徴的な部分を中心に説明すると共に、上述した第２の実施形態と同様な構成については、同一の参照番号を付すことにより、重複する説明を省略する。
【００４０】
図１１と図１２とを参照しながら、本発明の第３の実施形態に係る情報検索装置１０が有する構成と、情報検索装置１０が行う処理とについて説明する。図１１は、本発明の第３の実施形態に係る情報検索装置１０の構成を示すブロック図である。図１２は、本発明の第３の実施形態に係る情報検索装置１０における処理の流れを示すフローチャートである。
【００４１】
図１１を参照すると、情報検索装置１０は、表示部１１を更に有する。表示部１１は、所定の表示態様により、検索したタグ等を表示する（ステップＳ９）。所定の表示態様には、例えば、タグクラウドとして表示する方法や、リンク数に基づく関連性の強弱順に表示する方法や、タグを辞書順にソートした結果を表示する方法などがある。表示部１１がタグを表示する方法は、上述した方法に限定されない。
【００４２】
利用者は、表示部１１を参照することにより、容易に情報検索を行うことができる。
【００４３】
即ち、本発明における第３の実施形態に係る情報検索装置によれば、情報検索が容易になる。
【００４４】
＜第４の実施形態＞
次に、上述した第３の実施形態を基本とする第４の実施形態について説明する。
【００４５】
以下の説明においては、本実施形態に係る特徴的な部分を中心に説明すると共に、上述した第３の実施形態と同様な構成については、同一の参照番号を付すことにより、重複する説明を省略する。
【００４６】
図１３と図１４とを参照しながら、本発明の第４の実施形態に係る情報検索装置１２が有する構成と、情報検索装置１２が行う処理とについて説明する。図１３は、本発明の第４の実施形態に係る情報検索装置１２の構成を示すブロック図である。図１４は、本発明の第４の実施形態に係る情報検索装置１２における処理の流れを示すフローチャートである。
【００４７】
図１４を参照すると、情報検索装置１２は、読み取り部１３を更に有する。読み取り部１３は、表示部１１が表示する情報の中から、利用者が指定する第２特定タグを読み取る（ステップＳ１０）。利用者が指定する方法には、例えば、マウスにより指定する方法や、タッチパネルにより指定する方法などがある。利用者が指定する方法は、上述した方法には限定されない。読み取り部１３は、上述したような方法に付随する読み取り方法により、第２特定タグを読み取る。
【００４８】
情報検索装置１２が、第２特定タグを読み取る読み取り部１３を更に有する構成であるため、第４の実施形態に係る情報検索装置１２は、第３の実施形態に係る情報検索装置が有する効果を有する。
【００４９】
即ち、本発明における第４の実施形態に係る情報検索装置によれば、情報検索が容易になる。
【００５０】
＜第５の実施形態＞
次に、上述した第４の実施形態を基本とする第５の実施形態について説明する。
【００５１】
以下の説明においては、本実施形態に係る特徴的な部分を中心に説明すると共に、上述した第４の実施形態と同様な構成については、同一の参照番号を付すことにより、重複する説明を省略する。
【００５２】
図１５と図１６とを参照しながら、本発明の第５の実施形態に係る情報検索装置１４が有する構成と、情報検索装置１４が行う処理とについて説明する。図１５は、本発明の第５の実施形態に係る情報検索装置１４の構成を示すブロック図である。図１６は、本発明の第５の実施形態に係る情報検索装置１４における処理の流れを示すフローチャートである。
【００５３】
図１５を参照すると、情報検索装置１４は、表示部１５と第２検索部１６とを有する。第２検索部１６は、読み取り部１３が読み取った第２特定タグと関連付けされた特定の第２データを読み取る（ステップＳ１１）。次に、第２検索部１６は、記憶部９に存在する第２関連情報において、特定の第２データと関連付けされた第３特定タグを読み取る（ステップＳ１２）。次に、表示部１５は、第３特定タグを、上述したような所定の表示態様により表示する（ステップＳ１３）。
【００５４】
上述した例において、情報検索装置１４が行う処理について説明する。例えば、表示部１５は、図８に示すような特定タグを表示する。読み取り部１３は、利用者が指定した「仕様書」という第２特定タグを読み取るとする。第２検索部１６は、図７Ｂと図７Ｄとに示す第２特定タグと関連付けされた第２データを読み取る。即ち、第２検索部１６は、「ＦＤ仕様書」と、「仕様書Ｂ」とを、第２データとして読み取る。次に、第２検索部は、「ＦＤ仕様書」と「仕様書Ｂ」とに関連付けされた、「文書」、「仕様書」、「ＦＤ」、「ＦＤ仕様書」という第３特定タグを読み取る（図１７）。
【００５５】
さらに、利用者は、表示部１５が表示した第３特定タグを読み、新たに第２特定タグを指定することもできる。情報検索装置１４は、上述したような処理を繰り返し行うことができる。
【００５６】
第２検索部１６は、読み取り部１３が読み取った第２特定タグに対して、更に関連するタグを絞り込んで表示する。そのため、利用者は、より容易に情報を検索することができる。
【００５７】
即ち、本発明における第５の実施形態に係る情報検索装置によれば、情報検索が容易になる。
【００５８】
（ハードウェア構成例）
図１８は、本発明の各実施形態に係る情報検索装置を実現可能な計算処理装置のハードウェア構成を、概略的に示すブロック図である。
【００５９】
次に、上述した本発明の各実施形態における情報検索装置を、１つの計算処理装置（情報処理装置、コンピュータ）を用いて実現するハードウェア資源の構成例について説明する。但し、係る情報検索装置は、物理的または機能的に少なくとも２つの計算処理装置を用いて実現してもよい。また、係る情報検索装置は、専用の装置として実現してもよい。
【００６０】
図１８は、本発明の第１の実施形態乃至本発明の第５の実施形態に係る計算検索装置を実現可能な計算処理装置のハードウェア構成を概略的に示す図である。計算処理装置１７は、中央処理演算装置（Ｃｅｎｔｒａｌ  Ｐｒｏｃｅｓｓｉｎｇ  Ｕｎｉｔ、以降「ＣＰＵ」と表す）１８、メモリ１９、ディスク２０、不揮発性記録媒体２１、入力装置２２、および、出力装置２３を有する。出力装置２３は、表示部１１、あるいは、表示部１５が表示する内容を表示する。入力装置２２は、読み取り部１３が有する機能を有する。
【００６１】
不揮発性記録媒体２１は、コンピュータが読み取り可能な、例えば、コンパクトディスク（Ｃｏｍｐａｃｔ  Ｄｉｓｃ）、デジタルバーサタイルディスク（Ｄｉｇｉｔａｌ  Ｖｅｒｓａｔｉｌｅ  Ｄｉｓｃ）、ブルーレイディスク（Ｂｌｕ−ｒａｙ  Ｄｉｓｃ）、ユニバーサルシリアルバスメモリ（ＵＳＢメモリ）などを指しており、電源を供給しなくても係るプログラムを保持し、持ち運びを可能にする。不揮発性記録媒体２１は、上述した媒体に限定されない。また、不揮発性記録媒体２１の代わりに、通信ネットワークを介して係るプログラムを持ち運びしても良い。
【００６２】
即ち、ＣＰＵ１８は、ディスク２０が記憶するソフトウェア・プログラム（コンピュータ・プログラム：以下、単に「プログラム」と称する）を、実行時にメモリ１９にコピーし、演算処理を実行する。ＣＰＵ１８は、プログラム実行に必要なデータをメモリ１９から読み込む。表示が必要な場合には、ＣＰＵ１８は、出力装置２３に出力結果を表示する。外部からプログラムを入力する場合、ＣＰＵ１８は、入力装置２２からプログラムを読み取る。ＣＰＵ１８は、メモリ１９にある情報検索プログラム（図２、図１０、図１２、図１４、図１６）を解釈し実行を行う。ＣＰＵ１８は、上述した本発明の各実施形態において説明した処理を順次行う。
【００６３】
即ち、このような場合、本発明は、係る情報検索プログラムによっても成し得ると捉えることができる。更に、係る情報検索プログラムが記録されたコンピュータ読み取り可能な記録媒体によっても、本発明は成し得ると捉えることができる。
【図面の簡単な説明】
【００６４】
【図１】本発明の第１の実施形態に係る情報検索装置の構成を示すブロック図である。
【図２】本発明の第１の実施形態に係る情報検索装置における処理の流れを示すフローチャートである。
【図３】本発明の第１の実施形態に係る情報検索装置において第１データ間の関連情報を表すテーブルの一例である。
【図４】本発明の第１の実施形態に係る情報検索装置において第１データ間の関連情報を表す概念図の一例である。
【図５】本発明の第１の実施形態に係る情報検索装置において第１データとタグとの関連情報を表す概念図の一例である。
【図６】本発明の第１の実施形態に係る情報検索装置において第１データとタグとの関連情報を表す概念図の一例である。
【図７Ａ】本発明の第１の実施形態に係る情報検索装置において検索部が抽出した第１データとタグとの関連情報を表す概念図の一例である。
【図７Ｂ】本発明の第１の実施形態に係る情報検索装置において検索部が抽出した第１データとタグとの関連情報を表す概念図の一例である。
【図７Ｃ】本発明の第１の実施形態に係る情報検索装置において検索部が抽出した第１データとタグとの関連情報を表す概念図の一例である。
【図７Ｄ】本発明の第１の実施形態に係る情報検索装置において検索部が抽出した第１データとタグとの関連情報を表す概念図の一例である。
【図８】本発明の第１の実施形態に係る情報検索装置において検索部が抽出したタグを表す概念図の一例である。
【図９】本発明の第２の実施形態に係る情報検索装置の構成を示すブロック図である。
【図１０】本発明の第２の実施形態に係る情報検索装置における処理の流れを示すフローチャートである。
【図１１】本発明の第３の実施形態に係る情報検索装置の構成を示すブロック図である。
【図１２】本発明の第３の実施形態に係る情報検索装置における処理の流れを示すフローチャートである。
【図１３】本発明の第４の実施形態に係る情報検索装置の構成を示すブロック図である。
【図１４】本発明の第４の実施形態に係る情報検索装置における処理の流れを示すフローチャートである。
【図１５】本発明の第５の実施形態に係る情報検索装置の構成を示すブロック図である。
【図１６】本発明の第５の実施形態に係る情報検索装置における処理の流れを示すフローチャートである。
【図１７】本発明の第５の実施形態に係る情報検索装置において第２検索部が抽出したタグを表す概念図の一例である。
【図１８】本発明の各実施形態に係る情報検索装置を実現可能な計算処理装置のハードウェア構成を、概略的に示すブロック図である。
【符号の説明】
【００６５】
１    情報検索装置
２    関連部
３    検索部
４    第１データ
５    第１関連情報
６    情報検索装置
７    関連部
８    検索部
９    記憶部
１０    情報検索装置
１１    表示部
１２    情報検索装置
１３    読み取り部
１４    情報検索装置
１５    表示部
１６    第２検索部
１７    計算処理装置
１８    ＣＰＵ
１９    メモリ
２０    ディスク
２１    不揮発性記録媒体
２２    入力装置
２３    出力装置
【図１】
2014049002.tif 000003
【図２】
2014049002.tif 000004
【図３】
2014049002.tif 000005
【図４】
2014049002.tif 000006
【図５】
2014049002.tif 000007
【図６】
2014049002.tif 000008
【図７Ａ】
2014049002.tif 000009
【図７Ｂ】
2014049002.tif 000010
【図７Ｃ】
2014049002.tif 000011
【図７Ｄ】
2014049002.tif 000012
【図８】
2014049002.tif 000013
【図９】
2014049002.tif 000014
【図１０】
2014049002.tif 000015
【図１１】
2014049002.tif 000016
【図１２】
2014049002.tif 000017
【図１３】
2014049002.tif 000018
【図１４】
2014049002.tif 000019
【図１５】
2014049002.tif 000020
【図１６】
2014049002.tif 000021
【図１７】
2014049002.tif 000022
【図１８】
2014049002.tif 000023